(57)【要約】【課題】複数のモニタを備えたデジタル放送受信装置において、各モニタで異なる番組の視聴が可能なデジタル放送受信装置、並びにこのデジタル放送受信装置を制御するための制御方法及びプログラムを提供すること。【解決手段】第１及び第２の受信ユニットの受信する放送サービスを同一のものとして両者からのデジタル信号を合成して得られた合成ダイバーシティ信号を復号してこれを第１及び第２の再生手段の双方に再生させる第１の画面モードと、第１の受信ユニットから得られたデジタル信号を第１の復号ユニットにて復号して第１の再生手段に再生させると共に第２の受信ユニットから得られたデジタル信号を第２の復号ユニットにて復号して第２の再生手段によって再生させる第２の画面モードと、を切り換えるモード切換手段を備える。【選択図】  図１
2008085762.tif 000002
【特許請求の範囲】
【請求項１】
放送波を受信及び復調してデジタル信号を出力する第１及び第２の受信ユニットと、
前記第１及び第２の受信ユニットから出力されるデジタル信号を合成して合成ダイバーシティ信号を生成する合成ダイバーシティユニットと、
前記第１及び第２の受信ユニットで受信する放送サービスを選択する放送サービス選択ユニットと、
前記第１の受信ユニットから出力される該デジタル信号又は該合成ダイバーシティ信号を復号して映像、音声及び／またはデータ信号を取り出す第１の復号ユニットと、
前記第２の受信ユニットから出力される該デジタル信号を復号して映像及び／または音声信号を取り出す第２の復号ユニットと、
それぞれ異なる位置に設置され、前記第１及び第２の復号ユニットによって復号された信号を映像及び／または音声として再生する第１及び第２の再生手段と、
前記第１及び第２の受信ユニットの受信する放送サービスを同一のものとして両者からのデジタル信号を合成して得られた合成ダイバーシティ信号を復号してこれを前記第１及び第２の再生手段の双方に再生させる第１の画面モードと、前記第１の受信ユニットから得られたデジタル信号を第１の復号ユニットにて復号して前記第１の再生手段に再生させると共に前記第２の受信ユニットから得られたデジタル信号を第２の復号ユニットにて復号して前記第２の再生手段によって再生させる第２の画面モードと、を切り換えるモード切換手段と、
を有する、デジタル放送受信装置。
【請求項２】
該第２の画面モードにおいて、前記放送サービス選択ユニットによる選択の結果第１及び第２の受信ユニットで受信する放送サービスが同じものとなった時は、前記モード切換手段は前記第１の画面モードに切り換える、ことを特徴とする請求項１に記載のデジタル放送受信装置。
【請求項３】
前記第１及び第２の復号ユニットの各々について高ビットレートの信号が得られるようにするか低ビットレートの信号が得られるようにするかを設定する、データ品質設定手段をさらに有する、請求項１又は２に記載のデジタル放送受信装置。
【請求項４】
前記第１及び第２の受信ユニットが受信する放送波の信号品質を検出する信号品質検出手段と、
該検出された信号品質が所定のレベルよりも高い時には高ビットレートの信号が得られ、また、該所定のレベルよりも低い時は低ビットレートの信号が得られるように、前記データ品質設定手段を制御する品質調整手段と、
をさらに有する、請求項３に記載のデジタル放送受信装置。
【請求項５】
前記信号品質検出手段は、前記第１及び第２の受信ユニットにおいて復調された信号のビットエラーレートを該信号品質として検出する、ことを特徴とする請求項４に記載のデジタル放送受信装置。
【請求項６】
前記信号品質検出手段は、前記第１及び第２の受信ユニットにおいて復調された信号のＣ／Ｎ比を該信号品質として検出する、ことを特徴とする請求項４に記載のデジタル放送受信装置。
【請求項７】
放送波を受信及び復調してデジタル信号を出力する第１及び第２の受信ユニットと、該第１及び第２の受信ユニットから出力されるデジタル信号を合成して合成ダイバーシティ信号を生成する合成ダイバーシティユニットと、該第１及び第２の受信ユニットで受信する放送サービスを選択する放送サービス選択ユニットと、該第１の受信ユニットから出力される該デジタル信号又は該合成ダイバーシティ信号を復号して映像、音声及び／またはデータ信号を取り出す第１の復号ユニットと、該第２の受信ユニットから出力される該デジタル信号を復号して映像及び／または音声信号を取り出す第２の復号ユニットと、それぞれ異なる位置に設置され、該第１及び第２の復号ユニットによって復号された信号を映像及び／または音声として再生する第１及び第２の再生手段と、を備えたデジタル放送受信装置を制御する制御方法であって、
該第１及び第２の受信ユニットの受信する放送サービスを同一のものとして両者からのデジタル信号を合成して得られた合成ダイバーシティ信号を復号してこれを該第１及び第２の再生手段の双方に再生させる第１の画面モードと、該第１の受信ユニットから得られたデジタル信号を第１の復号ユニットにて復号して該第１の再生手段に再生させると共に該第２の受信ユニットから得られたデジタル信号を第２の復号ユニットにて復号して該第２の再生手段によって再生させる第２の画面モードと、を切り換えるモード切換ステップを有する、デジタル放送受信装置の制御方法。
【請求項８】
該第２の画面モードにおいて、該放送サービス選択ユニットによる選択の結果第１及び第２の受信ユニットで受信する放送サービスが同じものとなった時は、前記モード切換ステップにおいて該第１の画面モードへの切換が行われる、ことを特徴とする請求項７に記載のデジタル放送受信装置の制御方法。
【請求項９】
該第１及び第２の復号ユニットの各々について高ビットレートの信号が得られるようにするか低ビットレートの信号が得られるようにするかを設定する、データ品質設定ステップをさらに有する、請求項７又は８に記載のデジタル放送受信装置の制御方法。
【請求項１０】
該第１及び第２の受信ユニットが受信する放送波の信号品質を検出する信号品質検出ステップと、
該検出された信号品質が所定のレベルよりも高い時には高ビットレートの信号が得られ、また、該所定のレベルよりも低い時は低ビットレートの信号が得られるように、該データ品質設定手段を制御する品質調整ステップと、
をさらに有する、請求項９に記載のデジタル放送受信装置の制御方法。
【請求項１１】
前記信号品質検出ステップは、該第１及び第２の受信ユニットにおいて復調された信号のビットエラーレートを該信号品質として検出する、ことを特徴とする請求項１０に記載のデジタル放送受信装置の制御方法。
【請求項１２】
前記信号品質検出ステップは、該第１及び第２の受信ユニットにおいて復調された信号のＣ／Ｎ比を該信号品質として検出する、ことを特徴とする請求項１０に記載のデジタル放送受信装置の制御方法。
【請求項１３】
請求項７から１２のいずれかに記載の制御方法を手順として実行させるための、デジタル放送受信装置の制御プログラム。
【請求項１４】
放送波を受信及び復調してデジタル信号を出力する受信ユニットと、
前記受信ユニットから出力されるデジタル信号を復号して映像及び／または音声信号を取り出す復号ユニットと、
前記受信ユニットで受信する放送サービスを選択する放送サービス選択ユニットと、
前記復号ユニットから高ビットレートの信号が得られるようにするか低ビットレートの信号が得られるようにするかを設定する、データ品質設定手段と、
前記受信ユニットが受信する放送波の信号品質を検出する信号品質検出手段と、
該検出された信号品質が所定のレベルよりも高い時には高ビットレートの信号が得られ、また、該所定のレベルよりも低い時は低ビットレートの信号が得られるように、前記データ品質設定手段を制御する品質調整手段と、
を有する、デジタル放送受信装置。
【請求項１５】
前記信号品質検出手段は、前記受信ユニットにおいて復調された信号のビットエラーレートを該信号品質として検出する、ことを特徴とする請求項１４に記載のデジタル放送受信装置。
【請求項１６】
前記信号品質検出手段は、前記受信ユニットにおいて復調された信号のＣ／Ｎ比を該信号品質として検出する、ことを特徴とする請求項１４に記載のデジタル放送受信装置。
【請求項１７】
放送波を受信及び復調してデジタル信号を出力する受信ユニットと、該受信ユニットから出力されるデジタル信号を復号して映像及び／または音声信号を取り出す復号ユニットと、該受信ユニットで受信する放送サービスを選択する放送サービス選択ユニットと、該復号ユニットから高ビットレートの信号が得られるようにするか低ビットレートの信号が得られるようにするかを設定する、データ品質設定手段と、を備えたデジタル放送受信装置を制御するための制御方法であって、
該受信ユニットが受信する放送波の信号品質を検出する信号品質検出ステップと、
該検出された信号品質が所定のレベルよりも高い時には高ビットレートの信号が得られ、また、該所定のレベルよりも低い時は低ビットレートの信号が得られるように、前記データ品質設定手段を制御する品質調整ステップと、
を有する、デジタル放送受信装置の制御方法。
【請求項１８】
前記信号品質検出ステップは、該受信ユニットにおいて復調された信号のビットエラーレートを該信号品質として検出する、ことを特徴とする請求項１７に記載のデジタル放送受信装置の制御方法。
【請求項１９】
前記信号品質検出手段は、前記受信ユニットにおいて復調された信号のＣ／Ｎ比を該信号品質として検出する、ことを特徴とする請求項１７に記載のデジタル放送受信装置の制御方法。
【請求項２０】
請求項１７から１９のいずれかに記載の制御方法を手順として実行させるための、デジタル放送受信装置の制御プログラム。
【発明の詳細な説明】
【技術分野】
【０００１】
本発明は、デジタル放送の放送サービスを受信するためのデジタル放送受信装置、並びにこのデジタル放送受信装置の制御方法及び制御プログラムに関する。
【背景技術】
【０００２】
近年、地上の送信局からデジタル信号を変調して送信し、受信器側で復調・復号して映像や音声、データなどの放送サービスを再生する地上デジタル放送が利用されつつある。このような地上デジタル放送は、パラボラアンテナなどの大型のアンテナを用いずとも高品質な映像・音声・データなどの受信が可能であるため、自動車などの移動体にも容易に搭載可能である。
【０００３】
乗用車などの座席が複数列に渡って配置されているような移動体においては、どの座席からでも放送サービスを視聴できるようにすることが望まれる。この課題を実現したものとしては、例えば特許文献１に開示されているものがある。特許文献１に記載の受信装置においては、座席の列ごとにモニタを配置することによって、どの座席からでも放送サービスを視聴できるようになっている。
【特許文献１】特開２００６−１０９０４４
【発明の開示】
【発明が解決しようとする課題】
【０００４】
しかしながら、上記特許文献１のような従来の構成では、全てのモニタに同内容の映像が表示されることになり、例えば助手席と後部座席とで異なる番組を視聴したい、という要求に答えられなかった。
【０００５】
本発明は上記の問題を解決するものであり、複数のモニタを備えたデジタル放送受信装置において、各モニタで異なる番組の視聴が可能なデジタル放送受信装置、並びにこのデジタル放送受信装置を制御するための制御方法及びプログラムを提供することを目的とする。
【課題を解決するための手段】
【０００６】
上記の目的を達成するため、本発明のデジタル放送受信装置は、第１及び第２の受信ユニットの受信する放送サービスを同一のものとして両者からのデジタル信号を合成して得られた合成ダイバーシティ信号を復号してこれを第１及び第２の再生手段の双方に再生させる第１の画面モードと、第１の受信ユニットから得られたデジタル信号を第１の復号ユニットにて復号して第１の再生手段に再生させると共に第２の受信ユニットから得られたデジタル信号を第２の復号ユニットにて復号して第２の再生手段によって再生させる第２の画面モードと、を切り換えるモード切換手段を備える。
【０００７】
このような構成とすると、第２の画面モードに切り換えればモニタごとに異なる番組を視聴可能となる。また、第１の画面モードにおいては、エラーの少ない高品質な信号が得られる合成ダイバーシティによって放送サービスの受信が行われる。
【０００８】
また、第２の画面モードにおいて、放送サービス選択ユニットによる選択の結果第１及び第２の受信ユニットで受信する放送サービスが同じものとなった時は、モード切換手段は第１の画面モードに切り換える構成としてもよい。
【０００９】
このような構成によれば、第２の画面モードにおいて、一方の再生手段で番組を視聴しているユーザが、他方の再生手段で再生されている番組を放送している放送サービスにチャンネルを切り換えた時に、第１の画面モードに自動的に移行し、合成ダイバーシティによる高品質な番組の視聴が可能となる。
【００１０】
また、第１及び第２の復号ユニットの各々について高ビットレートの信号が得られるようにするか低ビットレートの信号が得られるようにするかを設定する、データ品質設定手段をさらに有する構成としてもよい。この時、第１及び第２の受信ユニットが受信する放送波の信号品質を検出する信号品質検出手段と、検出された信号品質が所定のレベルよりも高い時には高ビットレートの信号が得られ、また、所定のレベルよりも低い時は低ビットレートの信号が得られるように、データ品質設定手段を制御する品質調整手段と、をさらに有することがより好ましい。
【００１１】
このような構成とすると、高品質な放送（例えば地上デジタル放送における１２セグ放送）と、低品質であるが放送波の弱いエリアでも良好な視聴が期待できる放送（例えば地上デジタル放送における１セグ放送）とが、放送波の品質に応じて自動的に切り換えられることになり、より良好に番組を視聴できることが期待される。
【００１２】
ここで、信号品質検出手段は、例えば第１及び第２の受信ユニットにおいて復調された信号のビットエラーレートを信号品質として検出する。或いは、信号品質検出手段は、第１及び第２の受信ユニットにおいて復調された信号のＣ／Ｎ比を該信号品質として検出する。
【発明を実施するための最良の形態】
【００１３】
以下、本発明の実施の形態につき、図面を参照して説明する。図１は、本発明の実施の形態の車載用地上デジタル放送受信装置のブロック図を示したものである。図１に示されるように受信装置１は、第１アンテナ１１、第１チューナ１２、第１復調部１３を備えた第１受信ユニット１０と、第２アンテナ２１、第２チューナ２２、第２復調部２３を備えた第２受信ユニット２０と、第１デコーダ３１と、第２デコーダ３２と、出力切換回路４２と、第１再生部５１と、第２再生部５２と、コントローラ６０と、を有する。ここで、第１及び第２再生部５１、５２は、夫々映像を表示するためのモニタ５１ａ、５１ｂ、音声が出力されるスピーカ５１ｂ、５２ｂ、チャンネルを選択するためのキーパッド５１ｃ、５２ｃを備えている。なお、本実施形態の受信装置１は乗用車に搭載されることを前提としたものであり、第１再生部５１は前部座席（運転席及び助手席）側に、第２再生部５２は後部座席側に取り付けられている。また、図１において、実線の矢印は放送信号若しくはデータの流れを示したものであり、破線の矢印はコントローラ６０と他の部材との間の制御の流れを示したものである。
【００１４】
第１受信ユニット１０および第２受信ユニット２０は、夫々異なる放送サービス（受信周波数およびサブキャリア）を受信可能である。以下の説明は第１受信ユニット１０に関するものであるが、第１アンテナ１１、第１チューナ１２、第１復調部１３の機能は、第２アンテナ２１、第２チューナ２２、第２復調部２３の機能と同等である。デジタル放送の放送電波は第１アンテナ１１で受信され、第１チューナ１２にて所望の周波数帯の信号を抽出して第１復調部１３に送信する。本実施形態においては、デジタル放送の信号はＯＦＤＭ方式によって変調されたアナログ信号であり、これを第１復調部１３によって復調（Ａ／Ｄ変換、直交復調、ＦＦＴ変換、波形等価処理、及びデジタル復号処理）してデジタル信号を得る。復調されたデジタル信号は第１デコーダ３１に送信される。
【００１５】
第１デコーダ３１は、復調されたデジタル信号に含まれる符号化された映像／音声データ（例えばＭＰＥＧ２方式のもの）を復号する機能を有する。また、デコーダ３１は、復号された映像データを処理して所定の形式（コンポーネント信号などのアナログ信号やＤＶＩ信号などのデジタル信号）のビデオ信号に変換して出力する機能を有する。さらに、デコーダ３１は、復号された音声データを処理して所定の形式（アナログ又はデジタル）のオーディオ信号に変換して出力する機能を有する。なお、第２復調部２３によって復調されたデジタル信号が入力される第２デコード３２も、第１デコーダ３１と同等の機能を有する。
【００１６】
第１デコーダ３１の出力は、第１再生部５１及び出力切換回路４２の双方に送られるようになっている。また、第２デコーダ３２の出力は、出力切換回路４２のみに送られる。コントローラ６０は、出力切換回路４２を制御して、第１及び第２デコーダ３１、３２から入力された映像／音声データのいずれか一方を選択的に第２再生部５２に出力するようになっている。すなわち、本実施形態においては、第１デコーダ３１の出力が第１、第２再生部５１、５２の双方にて再生される第１の画面モードと、第１デコーダ３１の出力が第１の再生部で再生され且つ第２デコーダ３２の出力が第２再生部５２で出力される第２の画面モードとが切換可能となっている。この切換動作は、第１再生部５１のキーパッド５１ｃまたは、第２再生部５２のキーパッド５２ｃのいずれかを操作することによってなされる。すなわち、この切換動作は前部座席側、後部座席側の何れからも行うことが可能である。
【００１７】
また、第１の画面モードにおいては、第１再生部５１のキーパッド５１ｃと第２再生部５２のキーパッド５２ｃの双方で、視聴する放送サービスの選択を行うことができる。この場合は、例えば前部座席側で放送サービスの変更を行うと、後部座席側の第２再生部５２において再生されている放送サービスも切り換わる。一方、第２の画面モードにおいては、第１再生部５１で再生されている放送サービスの選択は第１再生部５１のキーパッド５１ｃで、また、第２再生部５２で再生されている放送サービスの選択は第２再生部５２のキーパッド５２ｃで別個に行う。この場合は、一方の再生部で再生されている放送サービスを変更しても、他方の再生部での再生されている放送サービスは変わらない。
【００１８】
本実施形態においては、第１受信ユニット１０と第２受信ユニット２０とで同一の放送サービスの放送信号を受信し、これを合成してエラー（データ欠損）の少ない信号を生成する、所謂合成ダイバーシティを行うことが出来るようになっている。より具体的には、第１受信ユニット１０と第２受信ユニット２０とで放送波を一旦直交復調し、得られた信号を合成し、再び変調する。この結果得られた信号は第１受信ユニット１０と第２受信ユニット２０が受信した信号よりもエラーの少ない高品質な信号である。そして、この信号を第１復調器１３でもう一度復調して高品質なデジタル信号を得る。合成ダイバーシティは、第１の画面モードにて実行され、第１受信ユニット１０により得られ、第１デコーダ３１によって復号された映像／音声データは、第１再生部５１と第２再生部５２の双方で再生される。
【００１９】
本実施形態の受信装置１は、ＡＲＩＢ規格ＴＲ−Ｂ１４及びＳＴＤ−Ｂ３１に準拠したデジタル放送を受信・再生するものである。この規格は一つの物理チャンネルが１３のセグメントに分割されているものである。この１３のセグメントのうち、１２のセグメントを使って高ビットレート、すなわち高品質（ＨＤＴＶ品質）の映像／音声の送信（所謂１２セグ放送）が行われると同時に、残りの１セグメントを使って低ビットレート、すなわち低品質（ＱＶＧＡ品質）の映像／音声の送信（所謂１セグ放送）が行われる。１２セグ放送に比べて１セグ放送は、電波の受信状態が悪い場合であっても比較的良好に受信できる。という特性を有している。また、通常は、同一の物理チャンネルにおいて１２セグ放送と１セグ放送とでは同一内容の番組を流すという、いわゆるサイマル放送が行われている。
【００２０】
本実施形態においては、第１及び第２受信ユニット１０、２０が受信／復調された信号の品質をコントローラ６０が検出し、この品質に応じて１２セグ放送と１セグ放送との切換を行うようになっている。この構成を含む、コントローラ６０の動作につき以下説明する。
【００２１】
本実施形態においては、受信装置１のユーザが第１再生部５１のキーパッド５１ｃまたは第２再生部５２のキーパッド５２ｃを操作して画面モードの切換が指示し、次いで放送サービスの変更（所謂チャンネルの切換）が指示された時に、画面モードの変更が行われるようになっている。このため、コントローラ６０は図２のフローチャートに示される画面モード切換設定ルーチン及び図３のフローチャートに示される放送サービス切換ルーチンを利用する。
【００２２】
図２の画面モード切換設定ルーチンは、受信装置１のユーザが第１再生部５１のキーパッド５１ｃまたは第２再生部５２のキーパッド５２ｃを操作して画面モードの切換を指示した時に割込実行されるルーチンである。本ルーチンが実行されると、ステップＳ１が実行される。ステップＳ１では、受信装置１のユーザが第１再生部５１のキーパッド５１ｃまたは第２再生部５２のキーパッド５２ｃを操作して指示された画面モードの内容の確認が行われる。すなわち、ユーザによって第１の画面モードと第２の画面モードのいずれが選択されているのかの判定が行われる。第１の再生部５１と第２の再生部５２で同じ内容の放送サービスを再生する第１の画面モードが設定されている場合は（Ｓ１：第１の画面モード）、ステップＳ２に進む。
【００２３】
ステップＳ２では、受信モードフラグの判定が行われる。受信モードフラグとは、現在合成ダイバーシティによる受信が行われている（ダイバーシティ動作）か、各受信ユニットが連携せずに受信を行っている（シングル動作）を示すフラグである。ステップＳ２において、シングル動作が行われていることを示す値が受信モードフラグに設定されている場合は（Ｓ２：シングル）、ステップＳ３に進む。
【００２４】
ステップＳ３では、ダイバーシティ動作を開始するためのダイバーシティ切換処理（後述）が実行される。この処理が完了した後、ステップＳ４が実行される。
【００２５】
一方、ステップＳ２において、ダイバーシティ動作が行われていることを示す値が受信モードフラグに設定されている場合は（Ｓ２：ダイバーシティ）、ステップＳ３を実行する必要がないため、ステップＳ４に進む。
【００２６】
ステップＳ４では、画面モードフラグの設定が行われる。画面モードフラグとは、設定されるべき画面モードが第１の画面モードであるか第２の画面モードであるのかを示すフラグである。ステップＳ４では、設定されるべき画面モードが第１の画面モードであることを示す値が画面モードフラグに設定される。次いで、本ルーチンを終了する。
【００２７】
一方、ステップＳ１において、第１の再生部５１と第２の再生部５２で異なる放送サービスを再生する第２の画面モードが設定されている場合は（Ｓ１：第２の画面モード）、ステップＳ５に進む。ステップＳ５では、設定されるべき画面モードが第２の画面モードであることを示す値が画面モードフラグに設定される。次いで、本ルーチンを終了する。
【００２８】
以上のように、本ルーチンが実行されると、ユーザによる指示内容に応じて画面モードフラグの変更が行われる。
【００２９】
次いで、放送サービス切換ルーチンにつき説明する。図３に示される放送サービス切換ルーチンは、ユーザが受信装置１のユーザが第１再生部５１のキーパッド５１ｃまたは第２再生部５２のキーパッド５２ｃを操作して受信／再生する放送サービスの変更が指示された時に割込実行されるルーチンである。本ルーチンが開始すると、ステップＳ１１が実行される。
【００３０】
ステップＳ１１では、画面モードフラグの内容の確認が行われる。すなわち、ステップＳ１１において、設定されるべき画面モードが第１の画面モードであることを示す値が画面モードフラグに設定されていることが確認された場合は（Ｓ１１：第１の画面モード）、ステップＳ１２に進む。
【００３１】
ステップＳ１２では、第１の画面モードにおいて受信する放送サービスの変更を行うための第１選局処理（後述）が実行される。次いで、本ルーチンを終了する。
【００３２】
一方、ステップＳ１１において、設定されるべき画面モードが第２の画面モードであることを示す値が画面モードフラグに設定されていることが確認された場合は（Ｓ１１：第２の画面モード）、ステップＳ１３に進む。
【００３３】
ステップＳ１３では、第２の画面モードにおいて受信する放送サービスの変更を行うための第２選局処理（後述）が実行される。次いで、本ルーチンを終了する。
【００３４】
図３のルーチンのステップＳ１２にて実行される第１選局処理の詳細につき、以下説明する。図４はこの第１選局処理のルーチンのフローチャートである。第１選局処理が実行されると、図４のフローチャートのステップＳ２１が実行される。
【００３５】
ステップＳ２１では、受信モードフラグの内容の確認が行われる。本ステップにおいて、シングル動作が行われていることを示す値が受信モードフラグに設定されている場合は（Ｓ２１：シングル）、ステップＳ２２に進む。
【００３６】
ステップＳ２２では、ダイバーシティ動作を開始するためのダイバーシティ切換処理（後述）が実行される。この処理が完了した後、ステップＳ２３が実行される。
【００３７】
ステップＳ２１において、ダイバーシティ動作が行われていることを示す値が受信モードフラグに設定されている場合は（Ｓ２１：ダイバーシティ）、ステップＳ２２を実行する必要がないので、ステップＳ２３に進む。
【００３８】
ステップＳ２３では、放送サービス切換ルーチン（図３）の実行前にユーザにて指定された、放送サービスの物理チャンネルに第１及び第２チューナ１２、２２を合わせる。次いで、本ルーチンを終了させる。
【００３９】
以上説明した第１選局処理が実行されると、ユーザが指定した放送サービスの受信／再生が合成ダイバーシティによって行われるようになり、また、この放送サービスは第１再生部５１と第２再生部５２の双方で再生される。
【００４０】
図３のルーチンのステップＳ１３にて実行される第２選局処理の詳細につき、以下説明する。図５はこの第２選局処理のルーチンのフローチャートである。第２選局処理が実行されると、図５のフローチャートのステップＳ３１が実行される。
【００４１】
本ルーチンが実行される時は、ユーザによって第１再生部５１または第２再生部５２で再生すべき放送サービスの変更指示が行われた時である。ステップＳ３１においては、ユーザによって放送サービスの変更指示が行われる再生部において再生すべき放送サービスと、ユーザによって放送サービスの変更指示が行われない方の再生部にて現在再生されている放送サービスが同一のものであるかどうかの判定が行われる。放送サービスが同一のものでないならば（Ｓ３１：ＮＯ）、ステップＳ３２に進む。
【００４２】
ステップＳ３２では、受信モードフラグの確認が行われる。ダイバーシティ動作が行われていることを示す値が受信モードフラグに設定されている場合は（Ｓ３２：ダイバーシティ）、ステップＳ３３に進む。
【００４３】
ステップＳ３３では、シングル動作を開始するためのシングル切換処理（後述）が実行される。この処理が完了した後、ステップＳ３４が実行される。
【００４４】
一方、ステップＳ３２において、シングル動作が行われていることを示す値が受信モードフラグに設定されている場合は（Ｓ３２：シングル）、ステップＳ３３を実行する必要がないため、ステップＳ３４に進む。
【００４５】
ステップＳ３４では、ユーザによって放送サービスの変更指示が行われた再生部が第１再生部５１と第２再生部５２のいずれであるかの判定が行われる。第１再生部５１で再生される放送サービスの変更指示がなされたのであれば（Ｓ３４：第１再生部）、ステップＳ３５に進み、第１チューナ１２で受信する物理チャンネルをユーザによって指示された放送サービスの物理チャンネルに設定する。次いで、本ルーチンを終了する。
【００４６】
ステップＳ３４において第２再生部５２で再生される放送サービスの変更指示がなされたことが確認されたのであれば（Ｓ３４：第２再生部）、ステップＳ３６に進み、第２チューナ２２で受信する物理チャンネルをユーザによって指示された放送サービスの物理チャンネルに設定する。次いで、本ルーチンを終了する。
【００４７】
また、ステップＳ３１において、ユーザによって放送サービスの変更指示が行われる再生部において再生すべき放送サービスと、ユーザによって放送サービスの変更指示が行われない方の再生部にて現在再生されている放送サービスが同一のものであるならば（Ｓ３１：ＹＥＳ）、ステップＳ３７に進む。
【００４８】
ステップＳ３７では、受信モードフラグの内容の確認が行われる。本ステップにおいて、シングル動作が行われていることを示す値が受信モードフラグに設定されている場合は（Ｓ３７：シングル）、ステップＳ３８に進む。
【００４９】
ステップＳ３８では、ダイバーシティ動作を開始するためのダイバーシティ切換処理（後述）が実行される。この処理が完了した後、ステップＳ３９が実行される。
【００５０】
ステップＳ３７において、ダイバーシティ動作が行われていることを示す値が受信モードフラグに設定されている場合は（Ｓ３７：ダイバーシティ）、ステップＳ３８を実行する必要がないので、ステップＳ３９に進む。
【００５１】
ステップＳ３９では、放送サービス切換ルーチン（図３）の実行前にユーザにて指定された、放送サービスの物理チャンネルに第１及び第２チューナ１２、２２を合わせる。次いで、本ルーチンを終了させる。
【００５２】
以上のように、本ルーチンが実行されると、ユーザによって放送サービスの変更指示が行われる再生部において再生すべき放送サービスと、ユーザによって放送サービスの変更指示が行われない方の再生部にて現在再生されている放送サービスが同一のものである場合は、合成ダイバーシティによるより高品質な映像／音声の再生が行われる。
【００５３】
シングル動作からダイバーシティ動作に切り換えるためのダイバーシティ切換処理につき以下説明する。図６は、ダイバーシティ切換処理のルーチンのフローチャートである。本ルーチンは、前述のように、ステップＳ３（図２）、Ｓ２２（図４）、Ｓ３８（図５）から呼び出されるルーチンである。本ルーチンが開始すると、ステップＳ４１が実行される。
【００５４】
ステップＳ４１では、コントローラ６０は第１復調部１３及び第２復調部２３を制御して合成ダイバーシティが行われるようにする。具体的には、第２復調部２３にて直交復調された信号が第１復調部１３に送られるようにすると共に、第１復調部１３ではこの信号と、第１復調部１３で直交復調された信号とを用いて合成ダイバーシティが行われるようにする。次いで、ステップＳ４２に進む。
【００５５】
ステップＳ４２では、コントローラ６０は出力切換回路４２を制御して、第１デコーダの出力（すなわち、合成ダイバーシティによって得られた映像／音声）が第２再生部５２に送られるようにする。次いで、ステップＳ４３に進む。
【００５６】
ステップＳ４３では、ダイバーシティ動作が行われていることを示す値を受信モードフラグに設定する。次いで、本ルーチンを終了する。
【００５７】
以上のように、本ルーチンが実行されると、合成ダイバーシティによる放送サービスの受信／再生が開始されると共に、第１再生部と第２再生部とで同内容の映像／音声が再生される。
【００５８】
ダイバーシティ動作からシングル動作に切り換えるためのシングル切換処理につき以下説明する。なお、本ルーチンはステップＳ３３（図５）から呼び出されるルーチンである。シングル切換処理のルーチンのフローチャートを図７に示す。本ルーチンが開始すると、ステップＳ５１が実行される。
【００５９】
ステップＳ５１では、コントローラ６０は第１復調部１３及び第２復調部２３を制御して、第１受信ユニット１０と第２受信ユニット２０とが別個に放送波の受信・復調を行うシングル動作が行われるようにする。具体的には、第２復調部２３にて直交復調された信号は第１復調部１３に送られず合成ダイバーシティが行われないようにする。次いで、ステップＳ５２に進む。
【００６０】
ステップＳ５２では、コントローラ６０は出力切換回路４２を制御して、第２デコーダの出力が第２再生部５２に送られるようにする。次いで、ステップＳ５３に進む。
【００６１】
ステップＳ５３では、シングル動作が行われていることを示す値を受信モードフラグに設定する。次いで、本ルーチンを終了する。
【００６２】
以上のように、本ルーチンが実行されると、第１受信ユニット１０で受信・復号された信号が第１デコーダで復号されて第１再生部５１で再生されるようになると共に、第２受信ユニット２０で受信・復号された信号が第１デコーダで復号されて第２再生部５２で再生されるようになる。
【００６３】
本実施形態においては、コントローラは第１復調部１３及び第２復調部２３が復調して得られた信号の品質を定期的にチェックしており、その結果に応じて低品位の１セグ放送と高品位の１２セグ放送のどちらを再生すべきかを適宜切り換えている。この放送切換処理は、図８のフローチャートに示されるルーチンによって実行される。なお、本ルーチンは図２〜７に示される他のルーチンとは並列動作するよう構成されている。また、本ルーチンは定期的（例えば１分に１回）に実行されるようになっている。本ルーチンが実行されると、ステップＳ１０１が実行される。
【００６４】
ステップＳ１０１では、第１デコーダ３１の復号方式、すなわち第１デコーダ３１が１セグ放送の映像／音声と１２セグ放送の映像／音声のどちらを出力しているかについてのチェックが行われている。第１デコーダ３１の復号方式が１セグ放送であるならば（Ｓ１０１：１セグ）、ステップＳ１０２に進む。
【００６５】
ステップＳ１０２では、第１復調部１３の出力信号の信号品質が基準レベル以上であるかどうかの判定が行われる。この信号品質は、例えば出力信号のビットエラーレートが第１の閾値未満であるかどうかによって行われる。出力信号のビットエラーレートが第１の閾値未満であるならば、出力信号が基準レベル以上、すなわち１２セグ放送を充分に復号できるレベルであると判断する。このような場合は（Ｓ１０２：基準レベル以上）、ステップＳ１０３に進む。なお、第１復調部１３の出力信号は、合成ダイバーシティ動作の時は合成ダイバーシティの結果として得られた信号を復調したものであり、シングル動作の時は、第１受信ユニットで受信した信号を復調したものである。従って、本ステップは、合成ダイバーシティ動作の時は合成ダイバーシティの結果として得られた信号の、シングル動作の時は第１受信ユニットで受信した信号の品質を夫々判定するものである。
【００６６】
ステップＳ１０３では、第１デコーダ３１による復号方式を１２セグ放送に設定する。次いで、ステップＳ１１０に進む。
【００６７】
一方、ステップＳ１０２において出力信号のビットエラーレートが第１の閾値以上であるならば、出力信号が基準レベル未満、すなわち１２セグ放送を充分に復号できるとはいえないレベルであると判断する。このような場合は（Ｓ１０２：基準レベル未満）、ステップＳ１０３を実行せずにステップＳ１１０に進む。
【００６８】
また、ステップＳ１０１において第１デコーダ３１の復号方式が１２セグ放送であるならば（Ｓ１０１：１２セグ）、ステップＳ１０４に進む。
【００６９】
ステップＳ１０４では、第１復調部１３の出力信号の信号品質が基準レベル未満であるかどうかの判定が行われる。この信号品質は、例えば出力信号のビットエラーレートが第２の閾値以上であるかどうかによって行われる。出力信号のビットエラーレートが第２の閾値以上であるならば、出力信号が基準レベル未満、すなわち１２セグ放送を充分に復号できるレベルではないと判断する。このような場合は（Ｓ１０４：基準レベル以上）、ステップＳ１０５に進む。
【００７０】
ステップＳ１０５では、第１デコーダ３１による復号方式を１セグ放送に設定する。次いで、ステップＳ１１０に進む。なお、第２の閾値は第１の閾値よりもある程度小さい値となっており、一旦復号方式が１セグ放送となった後は、充分に出力信号の品質が回復するまで１２セグ放送には切り換わらないようになっている。
【００７１】
一方、ステップＳ１０４において出力信号のビットエラーレートが第２の閾値未満であるならば、出力信号が基準レベル以上、すなわち１２セグ放送を充分に復号できるレベルであると判断する。このような場合は（Ｓ１０４：基準レベル以上）、ステップＳ１０５を実行せずにステップＳ１１０に進む。
【００７２】
ステップＳ１１０では、受信モードフラグのチェックが行われる。シングル動作が行われていることを示す値が受信モードフラグに設定されている場合は（Ｓ１１０：シングル）、ステップＳ１１１に進む。
【００７３】
ステップＳ１１１では、第２デコーダ３２の復号方式、すなわち第２デコーダ３２が１セグ放送の映像／音声と１２セグ放送の映像／音声のどちらを出力しているかについてのチェックが行われている。第２デコーダ３１の復号方式が１セグ放送であるならば（Ｓ１１１：１セグ）、ステップＳ１１２に進む。
【００７４】
ステップＳ１１２では、第２復調部２３の出力信号の信号品質が基準レベル以上であるかどうかの判定が行われる。この信号品質は、例えば出力信号のビットエラーレートが第１の閾値未満であるかどうかによって行われる。出力信号のビットエラーレートが第１の閾値未満であるならば、出力信号が基準レベル以上、すなわち１２セグ放送を充分に復号できるレベルであると判断する。このような場合は（Ｓ１１２：基準レベル以上）、ステップＳ１１３に進む。
【００７５】
ステップＳ１１３では、第２デコーダ３２による復号方式を１２セグ放送に設定する。次いで、本ルーチンを終了する。
【００７６】
一方、ステップＳ１１２において出力信号のビットエラーレートが第１の閾値以上であるならば、出力信号が基準レベル未満、すなわち１２セグ放送を充分に復号できるとはいえないレベルであると判断する。このような場合は（Ｓ１１２：基準レベル未満）、ステップＳ１１３を実行せずに本ルーチンを終了する。
【００７７】
また、ステップＳ１１１において第２デコーダ３２の復号方式が１２セグ放送であるならば（Ｓ１１１：１２セグ）、ステップＳ１１４に進む。
【００７８】
ステップＳ１１４では、第２復調部２３の出力信号の信号品質が基準レベル未満であるかどうかの判定が行われる。この信号品質は、例えば出力信号のビットエラーレートが第２の閾値以上であるかどうかによって行われる。出力信号のビットエラーレートが第２の閾値以上であるならば、出力信号が基準レベル未満、すなわち１２セグ放送を充分に復号できるレベルではないと判断する。このような場合は（Ｓ１１４：基準レベル以上）、ステップＳ１１５に進む。
【００７９】
ステップＳ１１５では、第２デコーダ３２による復号方式を１セグ放送に設定する。次いで、本ルーチンを終了する。
【００８０】
一方、ステップＳ１１４において出力信号のビットエラーレートが第２の閾値未満であるならば、出力信号が基準レベル以上、すなわち１２セグ放送を充分に復号できるレベルであると判断する。このような場合は（Ｓ１１４：基準レベル以上）、ステップＳ１１５を実行せずに本ルーチンを終了する。
【００８１】
また、ステップＳ１１０においてダイバーシティ動作が行われていることを示す値が受信モードフラグに設定されている場合は（Ｓ１１０：ダイバーシティ）、第２デコーダの復号方式を設定する必要がないため、何もせずに本ルーチンを終了させる。
【００８２】
以上のように、本実施形態によれば、前部座席側の再生部と後部座席側の再生部とで同じ放送サービスを再生する第１の画面モードと、前部座席側の再生部と後部座席側の再生部とで異なる放送サービスを再生する第２の画面モードとを、ユーザの操作によって切り換えることが可能となる。また、第１の画面モードにおいては合成ダイバーシティによる高品質な放送サービスの受信・再生が可能となる。さらに、本実施形態によれば、充分な品質の放送波が得られる時は高品位な１２セグ放送を再生し、そうでない場合は低品位だが放送波の品質が低い場合であっても良好に再生できる１セグ放送を再生するようになっている。
【００８３】
なお、上記説明した本実施形態においては、第１デコーダ３１、第２デコーダ３２、出力切換回路４２が別個の部品として示されているが、本発明はこの構成に限定されるものではなく、第１デコーダ３１、第２デコーダ３２、出力切換回路４２が１チップに収められたデコーダ素子を代わりに使用しても良い。
【００８４】
また、本実施形態においては、１２セグ放送の放送サービスの再生を行うか、１セグ放送の放送サービスの再生を行うかどうかの判断基準は、第１又は第２の受信ユニットが受信・復調したデータのビットエラーレートに基づくものである。しかしながら、本発明は上記の構成に限定されるものではなく、他の判断基準、例えば復調したデータのＣ／Ｎ比が所定値以上／未満であるかどうかを用いてもよい。
【００８５】
また、本実施形態においては、シングル動作時であっても、第１の再生部と第２の再生部とで同じ放送サービスが選局された時は自動的に合成ダイバーシティ動作に移行するよう構成されているが、第１の再生部と第２の再生部とで選局されている放送サービスに関わらず、常にシングル動作となる構成としてもよい。
【００８６】
また、本実施形態においては、復調した信号の品質に応じて、１セグ放送で復号するか１２セグ放送で復号するかを適宜変更しているが、本発明はこの構成に限定されるものでない。例えば、合成ダイバーシティによる信号品質の改善が期待できる第１の画面モードにおいては常に１２セグ放送で復号し、第２の画面モードでは常に１セグ放送で復号する構成としてもよい。
【００８７】
また、本実施形態においては、合成ダイバーシティ動作中は１セグ放送か１２セグ放送のどちらか一方が双方の再生部で再生されるようになっているが、出力切換回路やデコーダの構成を変えることによって、合成ダイバーシティ動作時に一方の再生部で１セグ放送、他方の再生部で１２セグ放送を再生するようにすることもできる。また、再生部の各々に電源スイッチが設けられており、一方の再生部のみが利用可能な時は常に合成ダイバーシティ動作で放送サービスの受信・再生が行われるような構成もまた、本発明の範囲内である。
【００８８】
また、本実施形態においては、受信ユニット、再生部共に２組の構成が開示されているが、本発明はこの構成に限定されるものではない。すなわち、受信ユニットが４組あり、再生部が３組あるような構成もまた本発明の範囲内である。この場合は、全ての再生部で同一の放送サービスを受信する場合は４組の受信ユニット全てを用いて合成ダイバーシティを行い、各再生部で異なる放送サービスを受信する場合は一つの再生部では２組の受信ユニットを用いた合成ダイバーシティの結果として得られた信号を再生し、他の２組の再生部は夫々１組の受信ユニットからの出力を再生することになる。或いは、各再生部で異なる放送サービスを受信する場合に、３組の再生部は夫々１組の受信ユニットからの出力を再生する（放送サービスの再生に関与しない受信ユニットが１つ残る）構成としてもよい。
【図面の簡単な説明】
【００８９】
【図１】本発明の実施の形態の車載用地上デジタル放送受信装置のブロック図である。
【図２】本発明の実施の形態の画面モード切換設定ルーチンのフローチャートである。
【図３】本発明の実施の形態の放送サービス切換ルーチンのフローチャートである。
【図４】本発明の実施の形態の第１選局処理のルーチンのフローチャートである。
【図５】本発明の実施の形態の第２選局処理のルーチンのフローチャートである。
【図６】本発明の実施の形態のダイバーシティ切換処理のルーチンのフローチャートである。
【図７】本発明の実施の形態のシングル切換処理のルーチンのフローチャートである。
【図８】本発明の実施の形態の放送切換処理のルーチンのフローチャートである。
【符号の説明】
【００９０】
１    受信装置
１０    第１受信ユニット
１１    第１アンテナ
１２    第１チューナ
１３    第１復調部
２０    第２受信ユニット
２１    第２アンテナ
２２    第２チューナ
２３    第２復調部
３１    第１デコーダ
３２    第２デコーダ
４２    出力切換回路
５１    第１再生部
５１ａ  モニタ
５１ｂ  スピーカ
５１ｃ  キーパッド
５２    第２再生部
５２ａ  モニタ
５２ｂ  スピーカ
５２ｃ  キーパッド
【図１】
2008085762.tif 000003
【図２】
2008085762.tif 000004
【図３】
2008085762.tif 000005
【図４】
2008085762.tif 000006
【図５】
2008085762.tif 000007
【図６】
2008085762.tif 000008
【図７】
2008085762.tif 000009
【図８】
2008085762.tif 000010